(57)【特許請求の範囲】
【請求項１】
リチウムイオン二次電池を電源とする電動工具であって、前記リチウムイオン二次電池からの微弱電力で作動する電気器具をバッテリーパックに付加した付加機能付電動工具であり、前記電気器具は、常時、時計駆動回路が作動する時計である付加機能付電動工具。
【請求項２】
前記電動工具は電動ドライバーである請求項１記載の付加機能付電動工具。
【発明の詳細な説明】
【０００１】
【発明の属する技術分野】
本発明は、ねじ締め作業で使用する電動ドライバー等の電動工具に関するものである。
【０００２】
【従来の技術】
従来、ねじ締め作業に使われる電動ドライバー等の電動工具は、作業効率が飛躍的に向上するために、主に、業務用として建築現場などで使われていた。近年では、ホームセンター等で売られ、日曜大工用に一般にも使われるようになってきた。
【０００３】
日曜大工では、使用頻度が低いため、一作業当たりの価格は高価なものとなる。そのため、何らかの付加価値が求められていた。
【０００４】
また、作業現場に携帯用ラジオが良く持ち込まれることから、電動工具のバッテリーを充電する充電機にラジオを付加した構成が提案されている。（特開２０００−９２７２６号公報）しかし、業務作業者が使用する作業現場では、商用電源が引かれていなかったり、お客様が電気代を払っている等の理由で、交換用のバッテリーを用意し、充電は現場で行なわないのが主である。したがって、電動工具自体に何らかの付加価値をつけることが必要である。
【０００５】
【発明が解決しようとする課題】
しかしながら、電動工具は手に持って作業するため、携帯できるように、軽くすることが必要である。そのため、重量増加となる付加機能はつけることができなかった。
【０００６】
本発明は上記従来の課題に鑑みてなされたものであり、たとえ付加機能がついていても軽量で作業し易い電動工具を提供するのが目的である。
【０００７】
【課題を解決するための手段】
上記目的を達成するために、本発明ではリチウムイオン二次電池を電源とする電動工具であって、前記リチウムイオン二次電池からの微弱電力で作動する電気器具をバッテリーパックに付加した付加機能付電動工具であり、前記電気器具は、常時、時計駆動回路が作動する時計である付加機能付電動工具としている。リチウムイオン二次電池は、従来、電動工具として使われていたニッケルカドミニウム蓄電池や、ニッケル水素蓄電池に比べて軽量であるため、その分付加機能をつけることができる。例えば、電動ドライバーでは、サブＣサイズのニッケル水素蓄電池が１０本使われているが、その総重量は５５０ｇである。これをリチウムイオン二次電池に変えると、１８６５０サイズで８本で良く、総重量は３２０ｇとなり、２００ｇの余裕ができる。
【０００８】
また、この付加機能は微弱電力で作動するため、電源としての電池の容量をさほど減らすわけではなく、リチウムイオン二次電池特有の満充電で保存した時の特異的な劣化を抑制することもできる。
【０００９】
また、前記電動工具は電動ドライバーであるのが好ましい。電動ドライバーは、他の作業中でも、携帯ベルトで携帯されることが多く、付加機能が良く活用できるという利点がある。
【００１０】
さらに、前記電気器具は、常時、時計駆動回路が作動する時計である。これは、作業現場や家庭で、常用して使われるものであり、付加機能として好適である。
【００１１】
【発明の実施の形態】
以下、添付図面を用いて本発明の実施形態を具体的な実施例に基づいて詳細に説明する。
【００１２】
（実施形態１）
図１に本発明の実施の形態であるラジオ付電動ドライバーの斜視図を示す。回転駆動系が内蔵されたハウジング１にハンドル２が備わっている。さらにハンドル２の先にバッテリーパック３があり、ラッチ４にて係止されている。ハンドル２にはさらにスイッチ引き金５があり、スイッチ引き金５を引いている間、ワンタッチホルダー６にて固定されたドライバービット７を回転させることができる。この時の回転方向は、プッシュボタン８により変えることができる。
【００１３】
本実施の形態においては、バッテリーパック３には、リチウムイオン二次電池の他にラジオ回路が内蔵されており、バッテリーパック３の側面には、ラジオの電源スイッチ９、ボリュームスイッチ１０およびチューナースイッチ１１が備えられている。電源スイッチ９を入れて、ボリュームスイッチ１０およびチューナースイッチ１１を適切に合わせると、スピーカー１２から音声が聞こえるようになる。
【００１４】
本実施の形態においては、バッテリーパック３にラジオが付加されているため、電動ドライバー本体からはずされている時でもラジオを使用することができる。
【００１５】
また、ラジオ回路およびスピーカーは、リチウムイオン二次電池からの微弱電力で作動しているため、電動ドライバー本体の回転駆動系に必要な電力に比べ、無視できるものである。さらに、バッテリーパック３内のリチウムイオン二次電池は、回転駆動系を正常に駆動させるために、ある程度電気量が少なくなると充電されるため、例えば電源的に独立したラジオをバッテリーパック３に、単に取りつけた場合のように、聞きたい時に電源が切れていたとか、ラジオのためだけに電源を取りかえる手間がなくなるという効果もある。
【００１７】
（実施形態２）
図２に本発明の実施の形態である時計付電動ドライバーの斜視図を示す。図２において図１と同じ符号は、同じ名称および機能を持つものである。
【００１８】
本実施の形態においては、バッテリーパック３には、リチウムイオン二次電池の他に時計駆動回路が内蔵されており、バッテリーパック３の側面には、時計１４が備えられている。これにより、時刻を知ることができる。
【００１９】
本実施の形態においては、バッテリーパック３に時計１４が付加されているため、電動ドライバー本体からはずされている時でも時計１４を使用することができる。
【００２０】
また、時計駆動回路は、リチウムイオン二次電池からの微弱電力で作動しているため、電動ドライバー本体の回転駆動系に必要な電力に比べ、無視できるものである。さらに、バッテリーパック３内のリチウムイオン二次電池は、回転駆動系を正常に駆動させるために、ある程度電気量が少なくなると充電されるため、例えば電源的に独立した時計をバッテリーパック３に、単に取りつけた場合のように、不意の電源切れとか、時計のためだけに電源を取りかえる手間がなくなるという効果もある。
【００２２】
（参考例）
図３に参考例である懐中電灯付電動ドライバーの斜視図を示す。図３においても図１と同じ符号は、同じ名称および機能を持つものである。
【００２３】
本参考例においては、ハウジング１には、リチウムイオン二次電池を電源とするライト１５が備えられており、ハンドル２はライトスイッチ１６が付加されている。これにより、自動車の下にもぐって作業する時など手元が暗い時でもねじの場所を正確に知ることができる。
【００２４】
また、ライト１５は、リチウムイオン二次電池からの微弱電力で作動するため、電動ドライバー本体の回転駆動系に必要な電力に比べ、無視できるものである。さらに、バッテリーパック３内のリチウムイオン二次電池は、回転駆動系を正常に駆動させるために、ある程度電気量が少なくなると充電されるため、例えば電源的に独立したライトをバッテリーパック３に、単に取りつけた場合のように、不意の電源切れとか、ライトのためだけに電源を取りかえる手間がなくなるという効果もある。
【００２５】
なお、本実施の形態においてはライト１５をハウジング１の上部に２個取りつけたが、1個のみやハウジング１の側部に複数個取りつけても構わない。
【００２６】
（実施形態４）
図４に本発明の実施の形態である電池残量表示および時計機能のついたディスプレイ装置付電動ドライバーの斜視図を示す。図４において図１と同じ符号は、同じ名称および機能を持つものである。
【００２７】
本実施の形態においては、バッテリーパック３には、リチウムイオン二次電池の他に電池残量検出回路および時計回路が内蔵されており、バッテリーパック３の側面には、残量表示部１７および時計機能部１８がついているディスプレイ装置１９が備えられている。さらに、時刻合わせ２０およびアラーム合わせ２１がついている。これにより、リチウムイオン二次電池の交換時期や時刻を知ることができる。
【００２８】
本実施の形態においては、バッテリーパック３に時計機能部１８が付加されているため、電動ドライバー本体からはずされている時でも時計機能部１８を使用することができる。
【００２９】
また、前述の回路は、リチウムイオン二次電池からの微弱電力で作動しているため、電動ドライバー本体の回転駆動系に必要な電力に比べ、無視できるものである。さらに、バッテリーパック３内のリチウムイオン二次電池は、回転駆動系を正常に駆動させるために、ある程度電気量が少なくなると充電されるため、例えば電源的に独立した時計をバッテリーパック３に、単に取りつけた場合のように、不意の電源切れとか、時計のためだけに電源を取りかえる手間がなくなるという効果もある。
【００３１】
【発明の効果】
以上のように、本発明の電動工具によれば、携帯性を高めながら、ラジオ等の付加機能を楽しむことが出来る。さらに、リチウムイオン二次電池特有の満充電で保存した時の特異的な劣化を抑制することもできる。また、電気器具が付加されているため、取扱説明書等で禁止されている工具をハンマー代わりに使用するといったラフユースに使われることも少なくなり、クレーム等の起こる可能性が低減されるという効果も有る。
【図面の簡単な説明】
【図１】本発明の実施の形態であるラジオ付電動ドライバーの斜視図
【図２】本発明の実施の形態である時計付電動ドライバーの斜視図
【図３】本発明の実施の形態である懐中電灯付電動ドライバーの斜視図
【図４】本発明の実施の形態である電池残量表示および時計機能のついたディスプレイ装置付電動ドライバーの斜視図
【符号の説明】
１        ハウジング
２        ハンドル
３        バッテリーパック
４        ラッチ
５        スイッチ引き金
６        ワンタッチホルダー
７        ドライバービット
８        プッシュボタン
９        電源スイッチ
１０      ボリュームスイッチ
１１      チューナースイッチ
１２      スピーカー
１３      時計合わせ
１４      時計
１５      ライト
１６      ライトスイッチ
１７      残量表示部
１８      時計機能部
１９      ディスプレイ装置
２０      時刻合わせ
２１      アラーム合わせ
【図１】
0004345260.tif 000002
【図２】
0004345260.tif 000003
【図３】
0004345260.tif 000004
【図４】
0004345260.tif 000005